(57)【要約】【課題】            立体的な外観を呈する釣竿を提供する。【解決手段】        本発明の一態様に係る釣竿は、筒状の釣竿基体と、前記釣竿基体に巻回され、該釣竿基体の中心軸の周りに螺旋状に延びる帯状の外面を有する管状の外層と、を具備する。一態様において、前記帯状の外面は、環状に延びる第１外面部分と前記釣竿基体の軸方向において該第１外面部分に隣接するように前記第１外面部分の端部から環状に延びる第２外面部分とを含み、前記第１外面部分には、前記第２外面部分との間に、前記第１外面部分から前記釣竿基体の中心軸に向かって窪んだ凹部が形成されている。【選択図】          図３
2014068574.tif 000002
【特許請求の範囲】
【請求項１】
筒状の釣竿基体と、
前記釣竿基体に巻回され、該釣竿基体の中心軸の周りに螺旋状に延びる帯状の外面を有する管状の外層と、
を具備し、
前記帯状の外面は、環状に延びる第１外面部分と前記釣竿基体の軸方向において該第１外面部分に隣接するように前記第１外面部分の端部から環状に延びる第２外面部分とを含み、前記第１外面部分には、前記第２外面部分との間に、前記第１外面部分から前記釣竿基体の中心軸に向かって窪んだ凹部が形成されている釣竿。
【請求項２】
前記凹部が前記釣竿基体の中心軸の周りに螺旋状に延びる、請求項１に記載の釣竿。
【請求項３】
光を反射する粒子を含み前記外層の上に配置された樹脂層をさらに具備する、請求項１又は請求項２に記載の釣竿。
【請求項４】
前記樹脂層の上に配置されたカラークリアー層をさらに具備する、請求項３に記載の釣竿。
【請求項５】
前記帯状の外面が、前記釣竿基体の中心軸に対して約０.５７度〜約０.６０度の範囲にある角度だけ傾斜している、請求項１から請求項４のいずれかに記載の釣竿。
【請求項６】
前記外層が、前記釣竿基体の周方向に略平行に延びる強化繊維群に樹脂を含浸させたプリプレグシートにより構成されたものである、請求項１から請求項５のいずれかに記載の釣竿。
【発明の詳細な説明】
【技術分野】
【０００１】
本発明は、装飾性を有する釣竿に関する。
【背景技術】
【０００２】
特開平９−１７２９１２号公報（特許文献１）は、装飾性を高めた外観を有する釣竿を開示している。この文献に記載された釣竿は、筒状の釣竿基体と、釣竿基体の外面の上に順次付与された第１の光干渉層及び第２の光干渉層と、を含む。このような釣竿に入射した光は、第２の光干渉層に反射する光と、第１の光干渉層に反射する光と、釣竿基体の外面に反射する光と、を生じさせる。これにより、釣竿の装飾性が高められている。
【先行技術文献】
【特許文献】
【０００３】
【特許文献１】特開平９−１７２９１２号公報
【発明の概要】
【発明が解決しようとする課題】
【０００４】
しかしながら、上記特許文献に開示された釣竿は、その一端から他端にかけて、釣竿基体の上に第１の光干渉層及び第２の光干渉層を順次重ねた構造体を維持している。よって、釣竿基体に反射した光と、第１の光干渉層を反射した光と、第２の光干渉層を反射した光と、が混合した光は、釣竿のどの部分においても同様の見え方をさせるものとなる。したがって、この文献に記載された釣竿は、全体的に単調な外観しか表現することができず、立体感を感じさせるものではない。
【０００５】
そこで、本発明の様々な実施の形態により、立体的な外観を呈する釣竿を提供する。
【課題を解決するための手段】
【０００６】
本発明の一態様に係る釣竿は、筒状の釣竿基体と、前記釣竿基体に巻回され、該釣竿基体の中心軸の周りに螺旋状に延びる帯状の外面を有する管状の外層と、を具備する。一態様において、前記帯状の外面は、環状に延びる第１外面部分と前記釣竿基体の軸方向において該第１外面部分に隣接するように前記第１外面部分の端部から環状に延びる第２外面部分とを含み、前記第１外面部分には、前記第２外面部分との間に、前記第１外面部分から前記釣竿基体の中心軸に向かって窪んだ凹部が形成されている。
【発明の効果】
【０００７】
本発明の様々な実施の形態により、立体的な外観を呈する釣竿を提供することができる。
【図面の簡単な説明】
【０００８】
【図１】図１は、本発明の一実施形態に係る釣竿の構成を示す側面図である。
【図２】図２は、図１に示した釣竿の表面の一部を拡大して模式的に示す断面図である。
【図３】図３は、図２に示した釣竿の表面のうちＡ部付近を拡大して模式的に示す断面図である。
【発明を実施するための形態】
【０００９】
以下、様々な実施形態を適宜図面を参照して説明する。なお、図面において共通する構成要素には同一の参照符号が付されている。また、各図面は、説明の便宜上、必ずしも同一の縮尺により示されているとは限らない。
【００１０】
図１は、本発明の一実施形態に係る釣竿の構成を示す側面図である。図１に示すように、釣竿１０は、リールＲが取り付けられた元竿１２と、元竿１２に接続された中間竿１４と、中間竿１４に接続された別の中間竿１６と、別の中間竿１６に接続された穂先竿１８と、を含む。釣竿１０は、一例として、中間竿１４、別の中間竿１６及び穂先竿１８が順次元竿１２に収容される、いわゆる振り出し竿である。なお、釣竿１０は、継ぎ竿等を含む任意の竿であってもよい。
【００１１】
図２は、図１に示した釣竿の表面の一部を拡大して模式的に示す断面図である。なお、図２は、釣竿１０の表面の構造として、一例として元竿１２の表面の構造を示しているが、この構造は、中間竿１４、別の中間竿１６及び／又は穂先竿１８にも備わったものとしてもよい。
【００１２】
元竿１２は、主に、筒状の釣竿基体２０と、釣竿基体２０の上に略管状に形成された外層３０と、を含む。図２は、元竿１２が、外層３０の上に略管状に形成された光輝層４０と、光輝層４０の上に略管状に形成されたカラークリアー層５０と、クリアー層６０と、を含んでもよいことを示している。
【００１３】
筒状の釣竿基体２０は、図２には示されていないが、同軸状に重なった複数の管状の層により形成されたものである。これら複数の管状の層の各々は、任意の方向に延びる強化繊維群に樹脂を含浸させたプリプレグシートを巻回することにより形成されたものとすることができる。
【００１４】
強化繊維群に含まれる強化繊維は、例えば、炭素繊維、金属繊維、ガラス繊維及びアラミド繊維等を含む様々な強化繊維であってもよい。強化繊維群に含浸させる樹脂としては、熱硬化性樹脂及び熱可塑性樹脂のいずれを用いてもよい。利用可能な熱硬化性樹脂は、例えば、エポキシ、ピスマレイミド、ポリイミド及びフェノール等を含む。利用可能な熱可塑性樹脂は、例えば、ポリエーテールエーテルケトン（ＰＥＥＫ）、ポリエーテルサルホン（ＰＥＳ）、ポリエーテルイミド（ＰＥＩ）、ポリフェニレンサルファイド（ＰＰＳ）、ポリアミド（ＰＡ）及びポリプロピレン（ＰＰ）等を含む。
【００１５】
釣竿基体２０は、矢印Ｄに示す方向に延びている。この方向（釣竿基体２０の中心軸に平行な方向）は、図１に示した釣竿１０の延びる方向と同一である。
【００１６】
外層３０は、釣竿基体２０の上に同軸状に重なった略管状の層である。外層３０は、例えば、釣竿基体２０の周方向に略平行に延びる強化繊維群に樹脂を含浸させたプリプレグシートを巻回することにより形成されたものである。よって、強化繊維群に含まれる各強化繊維３２は、釣竿基体２０の中心軸の周りに環状又は螺旋状に延びている。強化繊維群に含まれる強化繊維、及び、強化繊維群に含浸される樹脂としては、上述した釣竿基体２０におけるものと同様のものを用いることができる。なお、図２には、強化繊維群に含まれる強化繊維３２のうちの一部のみしか表現されていない。
【００１７】
外層３０は、釣竿基体２０の中心軸の周りに螺旋状に延びる帯状の外面を有する。図２には、螺旋状の延びる帯状の外面のうち、環状に延びる外面部分３４ａ〜３４ｄにより構成された帯状の外面のみが示されている。これらの外面部分３４ａ〜３４ｄの各々は、釣竿基体２０の中心軸に対して（つまり、釣竿１０の延設方向に対して）傾斜している。各外面部分の（釣竿基体２０の中心軸に対する）傾斜角度は、例えば、約０.５７度から約０.７０度の範囲にあり、好ましくは、約０.５７度から約０.６０度の範囲にある。なお、図２は、各外面部分が中心軸に対して傾斜していることを便宜上示しているに過ぎず、図２に示された各外面部分の傾斜角度は必ずしも正確なものではない、ということに留意されたい。
【００１８】
隣接する２つの外面部分、例えば、外面部分３４ａ及び外面部分３４ｂに着目すると、外面部分３４ｂには、釣竿基体２０の中心軸に沿って隣接する外面部分３４ａとの間に、外面部分３４ｂから下方に釣竿基体２０の中心軸に向かって窪んだ凹部３６ｂが形成されている。同様に、外面部分３４ｂ及び外面部分３４ｃ（外面部分３４ｃ及び外面部分３４ｄ）に着目すると、外面部分３４ｃ（外面部分３４ｄ）には、釣竿基体２０の中心軸に沿って隣接する外面部分３４ｂ（外面部分３４ｃ）との間に、外面部分３４ｃ（外面部分３４ｄ）から下方に釣竿基体２０の中心軸に向かって窪んだ凹部３６ｃ（凹部３６ｄ）が形成されている。これらの凹部３６ｂ〜３６ｄは、連続的に繋がり、釣竿基体２０の中心軸の周りに螺旋状に延びている。
【００１９】
光輝層（樹脂層）４０は、外層３０を覆うように形成され、到来した光を乱反射させるように機能するものである。光輝層４０は、合成樹脂と光輝性を有する粒子とを混ぜ合わせたものにより構成される。合成樹脂としては、エポキシ系又はウレタン系等の透明又は半透明の合成樹脂を用いることができる。光輝性を有する粒子としては、金、銀、アルミニウム、アルミニウム合金、マグネシウム、銅、錫、クロム、コバルト、黄銅、鉄、ステンレス、ニッケル、亜鉛等からなる薄い箔状のものを用いることができる。なお、図２には、便宜上、光輝性を有する粒子の表現が省略されている。
【００２０】
図２に示すように、光輝層４０は、外層３０の外面に忠実に従った形状となるように付与されている。具体的には、例えば、光輝層４０は、外層３０の帯状の外面を構成する外面部分（例えば、外面部分３４ａ〜３４ｄ）の各々の上、及び、外層３０に形成された凹部（例えば凹部３６ｂ〜３６ｄ）において、略一定の厚みを有することによって、全体として鋸状の断面を有するように延びている。光輝層４０は、外層３０に形成された各凹部を埋没させることのないように、各凹部の深さよりも薄い厚みを有するように、形成されている。
【００２１】
カラークリアー層５０は、光輝層４０を覆うように形成され、例えば、シアン系、マゼンタ系、イエロー系及びブラック系のそれぞれのインクの配合量を調整して所望の色を表現する、透明又は半透明の層である。シアン系のインクとしては、例えば、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及び銅フタロシアニン化合物（含有量０.１〜５％）を含むものを用いることができる。マゼンタ系のインクとしては、例えば、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及びキナクリドンマゼンタ（含有量０.１〜５％）を含むものを用いることができる。イエロー系のインクとしては、例えば、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及びニッケル化合物（含有量０.１〜５％）を含むものを用いることができる。ブラック系のインクとしては、例えば、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及びカーボンブラック（含有量０.１〜５％）を含むものを用いることができる。
【００２２】
図２に示すように、カラークリアー層５０は、光輝層４０の外面に忠実に従った形状となるように付与されている。具体的には、例えば、カラークリアー層５０は、略一定の厚みを有することによって、全体として鋸状の断面を有するように延びている。
【００２３】
クリアー層６０は、カラークリアー層５０を覆い、平滑な（平らな）外面を有するように形成されている。クリアー層６０は、クリアーインク（塗料から顔料を除いたもの）により構成されたものとすることができる。クリアーインクとしては、例えば、樹脂としてアクリル酸エステル（含有量５０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに添加剤（含有量０.１〜５％）を含むものを用いることができる。
【００２４】
次に、上記構成を有する釣竿が立体的な外観を呈するメカニズムについて、さらに図３を参照して説明する。図３は、図２に示した釣竿の表面のうちＡ部付近を拡大して模式的に示す断面図である。
【００２５】
図３には、光輝層４０に含まれた光輝性を有する粒子４２の具体例として、例えば、粒子４２ａ〜４２ｅのみが示されている。これらの粒子は、すべてが同一の形状を有するものであってもよいし、各々がランダムな形状を有するものであってもよい。また、これらの粒子は、略円形状、略矩形状や略多角形状等を含む任意の断面形状を有するものであってもよい。図３には、一例として、略矩形状（板状）の断面を有する粒子４２のみが示されている。
【００２６】
ここでは、利用者等の人間が方向Ｄ１から元竿１２（釣竿１０）を観察した場合を考える。光線Ｒ１は、（クリアー層６０及び）カラークリアー層５０を透過して光輝層４０に入射し、粒子４２ａに反射することにより、再度カラークリアー層５０（及びクリアー層６０）を透過して、光線Ｒ１´として、人間の眼球に向かって進行して入射する。光線Ｒ２もまた、同様の理由により、光線Ｒ２´として、人間の眼球に向かって進行して入射する。よって、光線Ｒ１´及び光線Ｒ２´は、人間にとって同様の見え方をする。これに対して、光線Ｒ３は、粒子４２ｃに反射して光線Ｒ３´として進行するので、人間の眼球に向かって進行しない。よって、光線Ｒ３´は、人間にとって、光線Ｒ１´及び光線Ｒ２´とは異なった見え方をする。
【００２７】
したがって、帯状の外面部分３４ｂの上に配置された光輝層４０に含まれた粒子４２ａと粒子４２ｂとが、同様の見え方をするのに対して、これらの粒子４２ａ、４２ｂと、この外面部分３４ｂに形成された凹部３６ｂの上に配置された光輝層４０に含まれた粒子４２ｃとが、粒子の傾斜角度の相違に起因して、異なった見え方をする（例えば、粒子４２ａ、４２ｂが明るく見え、粒子４２ｃが暗く見える）。これにより、元竿１２は、人間の眼に立体感を感じさせることができる。
【００２８】
さらに、人間が同様に方向Ｄ１から元竿１２（釣竿１０）を観察した場合、帯状の外面部分３４ｂの上に配置された光輝層４０を見るときには、厚みｔ１を有するカラークリアー層５０を介するのに対して、帯状の外面部分３４ｂに形成された凹部３６ｂの上に配置された光輝層４０を見るときには、厚みｔ２（厚みｔ１より厚い）を有するカラークリアー層５０を介する。これにより、人間の眼には、帯状の外面部分３４ｂと、帯状の外面部分３４ｂに形成された凹部３６ｂとが、それらの上に配置されたカラークリアー層５０の厚みの相違によって、異なった見え方をする（例えば、帯状の外面部分３４ｂが明るく見え、凹部３６ｂが暗く見える）。したがって、元竿１２は、人間の眼にさらに立体感を感じさせることができる。
【００２９】
さらにまた、外層３０のうち凹部３６ｂに隣接する領域Ｐ１においては、凹部３６ｂが形成されたことに起因して、強化繊維３２が押しのけられている。これにより、領域Ｐ１における各強化繊維３２及び樹脂の状態（例えば、隣接する強化繊維３２同士の間における距離、強化繊維３２の密度及び樹脂の密度等）が、それ以外の領域、例えば領域Ｐ２における各強化繊維３２及び樹脂の状態と相違する。この結果、人間が同様に方向Ｄ１から元竿１２（釣竿１０）を観察した場合、人間の眼には、帯状の外面部分３４ｂと、帯状の外面部分３４ｂに形成された凹部３６ｂとが、それらの下に存在する強化繊維３２の状態の相違によって、異なる見え方をする。したがって、元竿１２は、人間の眼にさらに立体感を感じさせることができる。なお、図３においても、便宜上、図２におけると同様に、外層３０に含まれる強化繊維３０のうちの一部の強化繊維３０のみしか表現されていない。
【００３０】
このように、本実施形態によれば、釣竿基体の中心軸の周りに螺旋状に延びる帯状の外面と、この外面に形成された凹部とが、光輝層に含まれた粒子の傾斜角度が相違すること、光輝層の上に配置されたカラークリア層の厚みが相違すること、及び／又は、光輝層の下に配置された強化繊維及び樹脂の状態が相違すること、に起因して（例えば、輝度及び彩度等において）異なった見え方をする。これにより、立体的な外観を呈する釣竿を提供することができる。
【００３１】
次に、本実施形態に係る釣竿１０の製造方法について説明する。ここでは、元竿１２を製造する場合を例にとり説明する。
【００３２】
まず、マンドレルにプリプレグシートが巻回されることにより、焼成後に釣竿基体２０となる管状の積層体が形成される。さらに、当該釣竿基体２０となる積層体にプリプレグシートが巻回されることにより、焼成後に外層３０となる管状の外層部材外層部材が形成される。次に、外層部材の外周面にポリエステル等の成形テープ（ここでは、例えば約１０ｍｍ〜約１５ｍｍの範囲にある幅及び約３０μｍの厚みを有するテープ）が、マンドレルの中心軸の周りに螺旋状に巻回される。このとき、釣竿基体２０となる積層体の中心軸に沿って隣接する成形テープ同士は互いに重なり合う。このように成形テープの重なり合った部分は、それ以外の部分に比べて、外層部材を釣竿基体２０となる積層体の中心軸に向かう方向により強く押圧する。これにより、図２に示したように、外層部材は釣竿基体２０となる積層体の中心軸の周りに螺旋状に延び、中心軸に対して傾斜した帯状の外面（外面部分３４ａ〜３４ｄを含む帯状の外面）が形成される。一実施形態においては、成形テープを巻く前の状体において、外層部材は、その外表面が、釣竿基体２０となる積層体の中心軸に対して約０.５７度以上の角度（例えば、約０.５７度から約０.７０度の範囲にあり、好ましくは、約０.５７度から約０.６０度の範囲にある角度）だけ傾斜するように構成される。このように構成された外層部材に成形テープを巻回すると、成形テープの重なり合った部分（特に、この重なり合った部分のうち竿先側の端部）が他の部分に比べてさらに強く外層部材を押圧することにより、帯状の外面において図２に示したような凹部（例えば凹部３６ｂ〜３６ｄ）が釣竿基体２０となる積層体の中心軸の周りに螺旋状に形成される。このような凹部が容易に形成されるようにするためには、外層部材が釣竿基体２０となる積層体の中心軸に向かって凹むことを阻害しないように、外層部材は、釣竿基体２０の周方向に略平行に延びる強化繊維群を含むものであることが好ましい。このような釣竿基体２０の周方向に略平行に延びる強化繊維群に含まれた強化繊維は、巻回された成形テープの延びる方向と略同一の方向（又はこれに近い方向）に延びているため、成形テープにより釣竿基体２０の中心軸に向かう方向に押圧されたときに、隣接している強化繊維同士の間にある間隙が拡大し易い（強化繊維が押しのけられ易い）。また、釣竿の外径差を長さ方向距離で除した値である釣竿外側のテーパーが１０／１０００以上（各外面部分の釣竿基体２０の中心軸に対する傾斜角度が約０.５７度以上）の場合に、成形テープの重なり合った部分（特に、この重なり合った部分のうち竿先側の端部）が押圧されやすく、その結果、図２に示した凹部（例えば凹部３６ｂ〜３６ｄ）が形成されやすい。
【００３３】
このように成形テープが巻回されたマンドレルは、釜に収容され焼成された後、硬化させられる。この後、マンドレルの上に形成された構造体からマンドレル７０が引き抜かれる。これにより、釣竿基体２０の上に同軸状に管状の外層３０が形成された構造体が得られる。この構造体に対して、ガン吹き塗装及びしごき塗装等を含む任意の塗装技術、並びに、スクリーン印刷及びインクジェット印刷等を含む任意の印刷技術を用いて、光輝層４０、カラークリアー層５０及びクリアー層６０を付与することができる。これにより、図２に示した元竿１２が得られる。同様の製造方法を用いて、中間竿１４、別の中間竿１６及び穂先竿１８を製造することも可能である。
【００３４】
以上，現時点で最も実用的で望ましいと考えられる態様に基づいて本発明を説明したが，これらの説明は，本発明の説明のみを目的としたものであり，本発明を開示された実施形態に限定することを意図したものではない。むしろ，本明細書における説明は，上述した各実施形態の任意の特徴に対して，請求項の趣旨及び範囲に含まれる変更及び均等物を含むことを意図するものである。例えば，上述した任意の実施形態の特徴を他の実施形態の一又は複数の特徴と組み合わせたものも，可能な限り本発明の範囲に含まれる。
【符号の説明】
【００３５】
１０  釣竿
２０  釣竿基体
３４ａ、３４ｂ、３４ｃ、３４ｄ  帯状の外面を構成する外面部分
３６ｂ、３６ｃ、３６ｄ  凹部
４０  光輝層
５０  カラークリアー層
６０  クリアー層
【図１】
2014068574.tif 000003
【図２】
2014068574.tif 000004
【図３】
2014068574.tif 000005